(57)【要約】【課題】再生機器よりユーザが外部記憶媒体の取り外しを行いたい場合には、いつでも、外部記憶媒体を取り外しできる再生機器および再生機器の記憶媒体取り外し方法を提供すること。【解決手段】データを記憶する記憶媒体１０が着脱可能に接続される再生機器１であって、記憶媒体１０を取り外し可能な状態にする際に操作される操作部材４ａと、操作部材４ａが操作された場合に、記憶媒体１０との間の通信を停止する停止手段と、停止手段によって通信が停止された場合に、記憶媒体１０を取り外し可能な状態になったことを報知する報知手段２と、を備える再生機器１としている。【選択図】図１
2008293125.tif 000002
【特許請求の範囲】
【請求項１】
データを記憶する記憶媒体が着脱可能に接続される再生機器であって、
上記記憶媒体を取り外し可能な状態にする際に操作される操作部材と、
上記操作部材が操作された場合に、上記記憶媒体との間の通信を停止する停止手段と、
上記停止手段によって通信が停止された場合に、上記記憶媒体を取り外し可能な状態になったことを報知する報知手段と、
を備えることを特徴とする再生機器。
【請求項２】
前記操作部材は、前記再生機器の操作面に設けられたハードウエアボタンであることを特徴とする、請求項１に記載の再生機器。
【請求項３】
前記報知手段は、前記停止手段が通信の停止に失敗した場合には、前記操作部材を再度操作するように報知することを特徴とする請求項２に記載の再生機器。
【請求項４】
前記データは、音響データまたは映像データであり、
上記音響データまたは映像データを再生する再生手段を有することを特徴とする請求項１から３のいずれか１項に記載の再生機器。
【請求項５】
データを記憶する記憶媒体が着脱可能に接続される再生機器の記憶媒体取り外し方法であって、
上記記憶媒体を取り外し可能な状態にする際に操作される操作部材が操作されたことを検出し、
上記操作部材が操作されたことが検出された場合に、上記記憶媒体との間の通信を停止し、
通信が停止された場合には、上記記憶媒体が取り外し可能になったことを報知する、
ことを特徴とする再生機器の記憶媒体取り外し方法。
【発明の詳細な説明】
【技術分野】
【０００１】
本発明は、着脱可能に接続される記憶媒体と通信を行う再生機器および再生機器の記憶媒体取り外し方法に関する。
【背景技術】
【０００２】
近年、音楽、音声、あるいは画像等のデータがデジタル化され、そのデジタル化されたデータを記録するために、着脱可能な外部記憶媒体が広く用いられている。また、着脱可能な外部記憶媒体は、機器から機器へデータを移動するための手段としても好適に用いられている。着脱可能に接続される外部記憶媒体としては、たとえば、ＵＳＢ（Ｕｎｉｖｅｒｓａｌ  Ｓｅｒｉａｌ  Ｂｕｓ）規格に基づいたインターフェースを備えるＵＳＢフラッシュメモリ等がある。
【０００３】
しかし、本体機器と外部記憶媒体とが通信している間に、ユーザが外部記憶媒体を本体機器より取り外すと、外部記憶媒体中のデータが破損あるいは消去されるおそれがある。さらに、本体機器が予期せぬ動作をするおそれもある。また、音響機器等のような、音声を発する再生機器の場合には、外部記憶媒体が取り外されてデータが寸断されると、それに起因してショックノイズを発するという問題がある。
【０００４】
そこで、本体機器と外部記憶媒体とが通信している間は、ＬＥＤ等の表示手段にて通信中の旨を表示することにより、ユーザが外部記憶媒体を取り外すことを抑制する案がある。（たとえば、特許文献１参照。）
【特許文献１】特開２００６−８５６２９号公報（要約書等）
【発明の開示】
【発明が解決しようとする課題】
【０００５】
しかし、上述の方法には以下の問題がある。すなわち、本体機器と外部記憶媒体とが通信を継続している間に、本体機器に接続されている外部記憶媒体を、ユーザが直ちに取り外したい場合に、取り外し可能な状態にするための手段がないという問題である。特に、大容量のデータの送受信を一旦開始すると、通信が終了するまで、つまり、取り外し可能な状態になるまで、ユーザは長い時間待つ必要がある。
【０００６】
そこで、本発明は、上記課題を解決すること、すなわち、再生機器よりユーザが外部記憶媒体の取り外しを行いたい場合には、いつでも、外部記憶媒体を取り外しできる再生機器および再生機器の記憶媒体取り外し方法を提供することを目的とする。
【課題を解決するための手段】
【０００７】
かかる目的を達成するため、データを記憶する記憶媒体が着脱可能に接続される再生機器であって、記憶媒体を取り外し可能な状態にする際に操作される操作部材と、操作部材が操作された場合に、記憶媒体との間の通信を停止する停止手段と、停止手段によって通信が停止された場合に、記憶媒体を取り外し可能な状態になったことを報知する報知手段と、を備える再生機器としている。
【０００８】
また、別の発明では、上述の発明に加え、その操作部材は、再生機器の操作面に設けられたハードウエアボタンとしている。
【０００９】
また、別の発明では、上述の発明に加え、報知手段は、停止手段が通信の停止に失敗した場合には、操作部材を再度操作するように報知する再生機器としている。
【００１０】
また、別の発明では、上述の発明に加え、データは、音響データまたは映像データであり、音響データまたは映像データを再生する再生手段を有する再生機器としている。
【００１１】
また、別の発明では、データを記憶する記憶媒体が着脱可能に接続される再生機器の記憶媒体取り外し方法であって、記憶媒体を取り外し可能な状態にする際に操作される操作部材が操作されたことを検出し、操作部材が操作されたことが検出された場合に、記憶媒体との間の通信を停止し、通信が停止された場合には、記憶媒体が取り外し可能になったことを報知する再生機器の記憶媒体取り外し方法としている。
【発明の効果】
【００１２】
本発明によれば、再生機器よりユーザが外部記憶媒体の取り外しを行いたい場合には、いつでも、外部記憶媒体を取り外しできる再生機器を提供することができる。
【発明を実施するための最良の形態】
【００１３】
（第１の実施の形態）
以下、本発明の第１の実施の形態について、図１および図２に基づいて説明する。図１は、本発明の第１の実施の形態に係る再生機器と記憶媒体の一例としての、それぞれ、音響機器１およびＵＳＢフラッシュメモリ（以後、ＵＳＢメモリと称する）１０の外観図である。図２は、図１に示す音響機器１の構成例を示すブロック図である。
【００１４】
音響機器１は、表示部２、ＵＳＢ端子３、切断ボタン４ａを含む各種操作ボタン４、ＵＳＢ制御部５、信号処理部６、音声合成部７およびアンプ８を備える。表示部２、切断ボタン４ａを含む各種操作ボタン４、ＵＳＢ制御部５および音声合成部７は、信号処理部６にそれぞれ接続される。また、ＵＳＢ端子３は、ＵＳＢ制御部５に接続される。そして、アンプ８は、音声合成部７および外部に設置されるスピーカ１１に接続される。また、音響機器１の表示部２、ＵＳＢ端子３および切断ボタン４ａを含む各種操作ボタン４は、音響機器１のパネル面を構成している。
【００１５】
表示部２は、報知手段であって、液晶ディスプレイ等によって好適に構成される。また、表示部２は、信号処理部６に接続されている。したがって、表示部２は、信号処理部６からの制御指令に基づいて、文字などを表示できる。
【００１６】
ＵＳＢ端子３には、ＵＳＢ端子を有する外部記憶媒体を接続することができる。ＵＳＢ端子３は、ＵＳＢ規格に基づく既知の構造であり、給電端子としてのＶＢＵＳ端子、データ端子としてのＤ＋端子およびＤ−端子、およびグランド端子等から構成される。
【００１７】
本実施の形態では、上述のＵＳＢ端子を有する記憶媒体として、ＵＳＢメモリ１０が、好適に用いられる。そして、ＵＳＢメモリ１０は、音響機器１のＵＳＢ端子３に接続される。ＵＳＢメモリ１０は、記憶保持動作が不要な半導体メモリなので、電源が供給されない状態であってもデータを保持し続けることができる。また、ＵＳＢメモリ１０は、容積当たりの記憶容量が大きい。したがって、ＵＳＢメモリ１０は、小型で携帯性に優れている。
【００１８】
ＵＳＢ制御部５は、ＵＳＢ規格に基づいて信号処理部６とＵＳＢメモリ１０との間の通信を行う。また、ＵＳＢ制御部５は、信号処理部６からの指令に基づいて、ＵＳＢメモリ１０の制御を行う。したがって、ＵＳＢメモリ１０に書き込まれているデータは、ＵＳＢ制御部５によって読み出すことが可能である。なお、必要に応じて、ＵＳＢ制御部５によって、ＵＳＢメモリ１０にデータを書き込む、あるいはデータの削除を行うことができるようにしてもよい。
【００１９】
各種操作ボタン４は、使用者が各ボタンを押すことにより、各ボタンに対応する操作指令を、信号処理部６に与える。また、各種操作ボタン４の一つである切断ボタン４ａ（操作部材としてのハードウエアボタン）は、ＵＳＢメモリ１０を安全に取り外すために、ＵＳＢメモリ１０と音響機器１との間の通信を停止する指示を、信号処理部６に与える。切断ボタン４ａがハードウエアボタン（ハードウエア的に構成されるボタン）であることにより、ユーザがＵＳＢメモリ１０を音響機器１から取り外したい時はいつでも、切断ボタン４ａを用いて安全に取り外すことができる。
【００２０】
停止手段としての信号処理部６は、音響機器１の制御を行うＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）等を備えていることが好ましい。ＲＡＭは、ＣＰＵからの制御指令に基づいて、ＵＳＢメモリ１０との通信情報を一時的に記憶する、あるいはＣＰＵのワークメモリとして使用される。ＲＯＭは、ＣＰＵが各部を制御するための制御プログラムおよび各定数が記憶されている。ＣＰＵは、ＲＯＭに記憶されている制御プログラムを読み出して、実行することにより作動する。
【００２１】
また、信号処理部６は、各入力信号および出力信号の処理を行う。たとえば、信号処理部６は、ＵＳＢメモリ１０からの各種データをＵＳＢ制御部５を介して受け取る。そして、各種データの中の音響データは、音声合成部７に送信される。その他のデータ、たとえば楽曲情報の表示に関するデータ（以下、「表示データ」と称する）がある場合には、信号処理部６は、その表示データに基づき、表示部２へ表示指示を行う。また、切断ボタン４ａあるいは各種操作ボタン４が押し下げられた場合には、これらのボタンからの入力信号を受信し、それぞれの入力信号に応じた制御を行う。
【００２２】
音声合成部７は再生手段であって、信号処理部６にて処理された音響データ（圧縮処理が施されているデータ）を、再生可能な音響信号に変換する。つまり、音声合成部７は、デコーダとして機能する。音声合成部７にて変換された再生可能な音響信号（アナログ信号）は、アンプ８にて増幅され、外部に接続されるスピーカ１１から音響として出力される。
【００２３】
次に、第１の実施の形態の動作について説明する。音響機器１が有するＵＳＢ端子３に、ＵＳＢメモリ１０が接続されると、ＵＳＢ制御部５は、ＵＳＢメモリ１０がＵＳＢ端子３に接続されたことを検出して、信号処理部６に接続検出信号を送る。すると、信号処理部６は、ＵＳＢメモリ１０のマウント処理（ＵＳＢメモリ１０に格納されたファイルにアクセスできるようソフトウェア的に行なわれる接続処理）を実行する。
【００２４】
マウント処理が完了するとＵＳＢ制御部５は、ＵＳＢ規格に基づいてＵＳＢメモリ１０との通信を開始する。つまり、ＵＳＢ制御部５は信号処理部６からの指示に基づいて、ＵＳＢメモリ１０の制御を行う。そして、ＵＳＢ制御部５はＵＳＢメモリ１０からのデータを、信号処理部６に供給する。
【００２５】
なお、信号処理部６と相互に通信できるＨＤＤ（Ｈａｒｄ  Ｄｉｓｋ  Ｄｒｉｖｅ、不図示）等に保存されているデータを、ＵＳＢメモリ１０に書き込む場合には、まず、信号処理部６は保存されているデータを呼び出す。次に、信号処理部６は、ＵＳＢ制御部５を介して、ＵＳＢメモリ１０にデータを書き込む。一方、ＵＳＢメモリ１０内のデータを消去等する場合には、信号処理部６からの制御指示をＵＳＢ制御部５が受け取り、ＵＳＢメモリ１０内の任意のデータを消去等することができる。
【００２６】
ＵＳＢメモリ１０内に記憶されている音響データの再生を行う場合には、信号処理部６で処理された音響データは、音声合成部７にてデコード処理を施され、再生可能な音響信号（アナログ信号）に変換される。たとえば、ＭＰ３（ＭＰＥＧ−１  Ａｕｄｉｏ  Ｌａｙｅｒ−ＩＩＩ）やＡＴＲＡＣ（Ａｄａｐｔｉｖｅ  Ｔｒａｎｓｆｏｒｍ  Ａｃｏｕｓｔｉｃ  Ｃｏｄｉｎｇ）等に基づいた音響データを、再生可能な音響信号に変換（デコード）する。
【００２７】
そして、その再生可能な音響信号は、アンプ８にて増幅された後に、外部のスピーカ１１から音声として出力される。
【００２８】
次に、ＵＳＢメモリ１０を音響機器１から取り外す際について説明する。図３は、本発明の第１の実施の形態に係る音響機器１から、ＵＳＢメモリ１０を取り外す動作を説明するフローチャートである。
【００２９】
ユーザが、ＵＳＢメモリ１０を取り外したい時には、まず、切断ボタン４ａを押す（ステップＳ１）。すると、信号処理部６は、切断ボタン４ａが押下されたことを検出する。そして、ＵＳＢ制御部５とＵＳＢメモリ１０との通信を停止するよう、ＵＳＢ制御部５に通信停止指示を送る（ステップＳ２）。
【００３０】
ＵＳＢ制御部５は、通信停止指示により、まず、ＵＳＢメモリ１０を停止する（アンマウント処理を実行する）。そして、所定の時間内に、ＵＳＢメモリ１０の停止に成功し、かつ、ＵＳＢメモリ１０とＵＳＢ制御部５との間の通信が遮断されたことをＵＳＢ制御部５が確認した場合には、ＵＳＢ制御部５は、信号処理部６へ、通信停止完了の応答をする。すると、信号処理部６は、ステップＳ３において肯定的（Ｙｅｓ）な判定をし、ステップＳ４に進む。
【００３１】
通信停止完了の応答を受け取った信号処理部６は、表示部２にＵＳＢメモリ１０の取り外しが可能である旨の表示をする（ステップＳ４）。たとえば、「ＵＳＢ取り外しＯＫ」等の表示を行う。この表示を確認したユーザは、安全にＵＳＢメモリ１０を音響機器１から取り外すことができる（ステップＳ５）。その結果、ショックノイズが発生したり音響データが破損したり、消去されたりすることを防止できる。
【００３２】
ＵＳＢメモリ１０と音響機器１との間の通信を遮断することに失敗した、あるいはＵＳＢ制御部５がそれらの通信の遮断を確認できなかった場合には、信号処理部６へ通信停止完了の通知が到達しない。その場合、信号処理部６は、ステップＳ３において否定的（Ｎｏ）な判定をし、ステップＳ６に進む。すると、信号処理部６は、再度切断ボタン４ａを押すように促す情報を表示部２に表示する（ステップＳ６）。たとえば、「ＰＲＥＳＳ  ＡＧＡＩＮ」のように表示する。その表示に従い、ユーザが再度切断ボタン４ａを押下する。すなわち、ステップＳ１に戻り、再びＵＳＢメモリ１０と音響機器１との通信を遮断するよう試みることができる。
【００３３】
以上に説明したように、本発明の第１の実施の形態では、使用者がＵＳＢメモリ１０を音響機器１から取り外したい場合には、切断ボタン４ａを操作することにより、強制的にＵＳＢメモリ１０と音響機器１との間の通信を停止させることができる。これにより、使用者の所望のタイミングでＵＳＢメモリ１０を音響機器１から取り外すことが可能になる。また、ＵＳＢメモリ１０を取り外す際には、通信が停止された状態となっていることから、音響データが破損したり、消去されたり、あるいは、ショックノイズが発生することを防止できる。
【００３４】
また、本発明の第１の実施の形態によれば、切断ボタン４ａを専用のハードウエアボタンとし音響機器１の操作面に配置するようにしたので、簡易な操作により通信を迅速に終了させることができる。すなわち、所定のコマンドを、たとえば、キーボード等の入力デバイスから入力して切断する場合に比較すると、単一のボタンを操作することにより切断処理が実行されることから、使用者の負担を軽減できる。
【００３５】
また、本発明の第１の実施の形態によれば、ＵＳＢメモリ１０との間の通信の切断に成功した場合には、表示部２に対して切断に成功した旨を表示するようにしたので、使用者は、取り外し可能になったことを確実に知ることができる。
【００３６】
また、本発明の第１の実施の形態によれば、ＵＳＢメモリ１０の停止に成功しなかった場合には、切断ボタン４ａを再度操作するように要求する情報を表示部２に対して表示するようにした。これにより、たとえばＵＳＢメモリ１０に対してデータを書き込み中である場合のように、ＵＳＢメモリ１０との通信を停止できない場合には、ある程度の時間をおいて、使用者に再度の操作を行わせることができる。また、音響機器１の現在の状態を使用者に確実に認識させることができる。
【００３７】
（第２の実施の形態）
以下、本発明の第２の実施の形態について、図４に基づいて説明する。図４は、第２の実施の形態に係る映像音響機器１Ａの構成例を示す回路図である。なお、各図において、第１の実施の形態と同一要素には、同一符号を付して重複する説明を省略する。
【００３８】
映像音響機器１Ａは、第１の実施の形態に係る音響機器１に加えて、映像を合成するための映像合成部１２を備え、かつ、合成された映像を表示可能な報知手段としての表示部２Ａを備えている。
【００３９】
映像合成部１２は再生手段であって、信号処理部６と表示部２Ａの間に接続される。そして、信号処理部６にて処理された映像データを、再生可能な映像信号に変換する。つまり、映像合成部１２は、デコーダとしての役割を有し、ＭＰＥＧ（Ｍｏｖｉｎｇ  Ｐｉｃｔｕｒｅ  Ｅｘｐｅｒｔ  Ｇｒｏｕｐ）等の規格に基づいて圧縮された映像データを再生可能な映像信号に変換する。その映像信号は、表示部２Ａにて映像として出力される。映像合成部１２から供給される映像信号は、表示部２から映像として出力される。
【００４０】
第２の実施の形態に係る映像音響機器１Ａにおいても、ＵＳＢメモリ１０は、小型かつ大容量記憶が可能な外部記憶媒体であるため、映像音響機器１Ａに楽曲あるいは映像を供給するための好適なデバイスとして用いることができる。
【００４１】
次に第２の実施の形態の動作について説明する。ＵＳＢメモリ１０に保存しているデータを呼び出す場合、ＵＳＢメモリ１０内のデータは、ＵＳＢ制御部５を介して読み込まれた後に、信号処理部６にて処理される。このとき、信号処理部６に入力されたデータが音響データの場合は、音声合成部７へデータを送信する。そして、音声合成部７にて生成された音響信号は、アンプ８を介してスピーカ１１から音声として出力される。一方、信号処理部６に入力されたデータが映像データの場合には、映像合成部１２へデータを送信する。そして、映像合成部１２にて、映像データが再生可能な映像信号に変換され、表示部２Ａに映像として出力される。
【００４２】
切断ボタン４ａは、ＵＳＢメモリ１０を安全に取り外すために、ＵＳＢメモリ１０と映像音響機器１Ａの間の通信を停止するためのボタンである。映像データは比較的大容量であるため、この切断ボタン４ａが存在しない場合には、ＵＳＢメモリ１０との通信が終了するまで長い時間待つ必要がある。しかし、切断ボタン４ａにより、ユーザがＵＳＢメモリ１０を取り外したい時に、ＵＳＢメモリ１０と映像音響機器１Ａとの間の通信をすぐに停止できるので、短時間でＵＳＢメモリの取り外しが可能になる。
【００４３】
映像音響機器１Ａが有するＵＳＢ端子３に、ＵＳＢメモリ１０が挿入されると、ＵＳＢ制御部５がＵＳＢメモリ１０の接続を確認する。すると、ＵＳＢ制御部５は信号処理部６に接続信号を送る。信号処理部６では、各種操作ボタン４からの入力指示に従い、ＵＳＢメモリ１０からのデータを読み出して再生あるいはＵＳＢメモリ１０へ書き込み等の処理を行う。つまり、ＵＳＢメモリ１０と映像音響機器１Ａとの間にて、通信を開始する。ここで、ＵＳＢメモリ１０からのデータの中に映像データが含まれていた場合には、映像データの再生を行うために、信号処理部６で処理された信号は、映像合成部１２に送信される。そして、映像合成部１２にて映像データは、再生可能な映像信号に変換される。その再生可能な映像信号は、表示部２から映像として出力される。
【００４４】
ＵＳＢメモリ１０を映像音響機器１Ａから取り外したい場合には、使用者は、切断ボタン４ａを操作する。これにより、前述した図３に示すフローチャートと同様の処理が実行され、ＵＳＢメモリ１０と映像音響機器１Ａとの間の通信が停止され、ＵＳＢメモリ１０を取り外し可能な状態とすることができる。なお、第２の実施の形態の場合には、表示部２Ａには映像が表示される。このため、ステップＳ３において通信停止が完了していないと判定した場合、ステップＳ６において、再度切断ボタン４ａを操作することを要求する情報を表示する必要がある。その場合、映像とこの情報とをスーパーインポーズして表示したり、あるいは、映像の表示を停止して、この情報のみを表示するようにしたりすることができる。
【００４５】
以上に説明したように、本発明の第２の実施の形態では、第１の実施の形態の場合と同様に、使用者がＵＳＢメモリ１０を音響機器１から取り外したい場合には、切断ボタン４ａを操作することにより、強制的に通信を停止させることができる。これにより、使用者の所望のタイミングでＵＳＢメモリ１０を音響機器１から取り外すことが可能になる。また、ＵＳＢメモリ１０を取り外す際には、通信が停止された状態となっていることから、音響データまたは映像データが破損したり、消去されたり、あるいは、ショックノイズまたは映像のちらつきが発生することを防止できる。
【００４６】
なお、切断ボタン４ａを専用のハードウエアボタンとし音響機器１の操作面に配置するようにした点、ＵＳＢメモリ１０との間の通信の切断に成功した場合には、表示部２Ａに対して切断に成功した旨を表示するようにした点、および、ＵＳＢメモリ１０の停止に成功しなかった場合には、切断ボタン４ａを再度操作するように要求する情報を表示部２Ａに対して表示するようにした点については、第１の実施の形態と同様である。
【００４７】
以上、本発明の第１の実施の形態および第２の実施の形態について述べたが、本発明は、これらの実施の形態に限定されることなく、種々の変形が可能である。
【００４８】
たとえば、コネクタとしては、ＵＳＢを使用した接続としているが、ＳＣＳＩ（Ｓｍａｌｌ  Ｃｏｍｐｕｔｅｒ  Ｓｙｓｔｅｍ  Ｉｎｔｅｒｆａｃｅ）を利用した接続とする等、各種のコネクタ、接続手段を利用できる。
【００４９】
また、音響機器１および映像音響機器１Ａに関する実施の形態を挙げたが、これらに限定されることなく、他の種類のデータを扱う機器にも採用できる。
【００５０】
また、各実施の形態において、特に誤って取り外しし易いＵＳＢメモリ１０を記録媒体として使用している例を示したが、ＵＳＢメモリ１０以外の他の規格の記憶媒体等でもよい。他の規格の記憶媒体としては、たとえば、ＵＳＢ以外の接続による半導体記憶型の記録媒体、磁気記録型の記憶媒体、光記憶型の記憶媒体あるいはそれらを併用した記録媒体等が挙げられる。具体例としては、ＣＤ（Ｃｏｍｐａｃｔ  Ｄｉｓｃ）、ＭＤ（ＭｉｎｉＤｉｓｃ）あるいはＤＶＤ（Ｄｉｇｉｔａｌ  Ｖｅｒｓａｔｉｌｅ  Ｄｉｓｃ）等が挙げられる。
【００５１】
また、本発明は、ＵＳＢメモリ１０のような外部記録媒体それ自体を接続する場合のみではなく、記録媒体を内部に有する電子機器を接続する場合にも採用される。たとえば、パーソナルコンピュータ（以後ＰＣと称する）を、ＵＳＢ等にて音響機器１または映像音響機器１Ａへ接続する場合には、ＰＣ内部のＨＤＤ（Ｈａｒｄ  Ｄｉｓｋ  Ｄｒｉｖｅ）と通信を行うことができる。また、音響機器１または映像音響機器１Ａには、携帯型音響プレーヤーあるいは、デジタルビデオカメラ等をＵＳＢ等にて接続することもできる。その場合には、音響機器１または映像音響機器１Ａは、携帯型音響プレーヤーあるいはデジタルビデオカメラ等の内部に設けられている記憶媒体と通信できる。さらに、携帯電話等の移動通信型の情報端末をＵＳＢにて接続して、携帯電話のメモリ内のデータを読み込むことができる。上述のように、電子機器の内部にある記憶媒体と音響機器１または映像音響機器１Ａとが通信を行っている間にも、切断ボタン４ａを押下することにより、電子機器を安全かつ迅速に取り外すことができる。
【００５２】
また、本実施の形態に係る音響機器１あるいは映像音響機器１Ａは、スピーカ１１を含まないが、スピーカ１１を備えるスピーカ一体型の機器でも良い。また、音響機器１あるいは映像音響機器１Ａに限らず、外部記憶媒体より情報を入手する情報端末等に本発明を採用しても良い。
【００５３】
また、本実施の形態に係る音響機器１あるいは映像音響機器１Ａは、家庭用あるいは商用電源のような交流電源から電力を得ても良いし、車載用電源や電力貯蔵デバイスからの直流電力を得て動作してもよい。特に、車載用音響機器あるいは車載用映像音響機器において、ＵＳＢメモリのような、小型かつ記憶容量密度の高い外部記憶媒体は、ＣＤあるいはＤＶＤなどの情報を移植して持ち運ぶことができる。
【００５４】
また、本実施の形態に係る音響機器１あるいは映像音響機器１Ａは、報知手段として液晶等による表示部２または表示部２Ａを設けているが、報知手段は表示部に限らない。たとえば、ブザー音等の音により報知するものでもよいし、ランプなどの光による報知でも良い。しかし、文字などが表示される表示部は、ＵＳＢメモリ１０の通信状況をより確実にユーザに報知することができるため、好ましい。
【００５５】
また、以上の各実施の形態では、図３のステップＳ３において通信停止完了の応答がないと判定された場合には、切断ボタン４ａを再度押すように促す情報を表示部２（または表示部２Ａ）に表示し、使用者の再度の操作を待つようにした。しかしながら、このような表示を行わず、たとえば、「切断処理中」のような情報を表示部２に表示し、デバイスの切断に成功した場合には、ステップＳ４に進んで、取り外しが可能であることを示す情報を表示するようにしてもよい。そのような実施の形態によれば、切断ボタン４ａを繰り返し操作する手間を省略できる。
【００５６】
また、以上の各実施の形態では、切断ボタン４ａは、ＵＳＢ端子３から少し離れた位置に設けてあるが、切断ボタン４ａをＵＳＢ端子３の近傍に設けるようにしてもよい。そのような実施の形態によれば、切断ボタン４ａを操作した後に、ＵＳＢメモリ１０を取り外す際に、使用者の手の移動を最小にすることができる。また、近傍に配置することにより、切断ボタン４ａの機能を使用者に分かりやすくすることができる。
【００５７】
また、以上の各実施の形態では、切断ボタン４ａは、音響機器１または映像音響機器１Ａの操作面に設けるようにしたが、ＵＳＢメモリ１０側に設けるようにしてもよい。その場合、切断ボタンが操作された場合には、操作がされたことを示す所定の信号を、音響機器１または映像音響機器１Ａに対して送信し、このような信号を受け取った音響機器１または映像音響機器１Ａが通信の停止処理を実行するようにしてもよい。そのような実施の形態によれば使用者が手を移動させる距離を最小にすることができる。
【００５８】
また、ＵＳＢ端子３とＵＳＢメモリ１０とが相互に係止するロック機構を設けてもよい。たとえば、ＵＳＢメモリ１０がマウントされた際にはこのロック機構によってＵＳＢメモリ１０が取り外されないようにロックする。そして、切断ボタン４ａが操作されて、通信が停止された場合には、ロックを解除してＵＳＢメモリ１０を取り外せるようにしてもよい。そのような実施の形態によれば、不注意によってＵＳＢメモリ１０が取り外されることを確実に防止することができる。
【図面の簡単な説明】
【００５９】
【図１】本発明の第１の実施の形態に係る音響機器の一例を示す外観図である。
【図２】図１に示す音響機器のブロック図である。
【図３】図１に示す音響機器において、ユーザがデバイスを取り外す際の処理を説明するフローチャートである。
【図４】本発明の第２の実施の形態に係る映像音響機器の構成例を示すブロック図である。
【符号の説明】
【００６０】
１…音響機器（再生機器）、１Ａ…映像音響機器（再生機器）、２…表示部（報知手段）、２Ａ…表示部（報知手段）、３…ＵＳＢ端子、４ａ…切断ボタン（操作部材）、７…音声合成部（再生手段）、１０…ＵＳＢフラッシュメモリ（記憶媒体）、１２…映像合成部（再生手段）
【図１】
2008293125.tif 000003
【図２】
2008293125.tif 000004
【図３】
2008293125.tif 000005
【図４】
2008293125.tif 000006